(57)【要約】【課題】洗浄槽が勝手に前方に移動しても、衝撃的な力が食器類に加わることの無い使い易い食器洗い機を提供する。【解決手段】食器類７を洗浄する洗浄槽２の下方に固着されるカバー１１と、洗浄槽２を覆う外枠１２の前面に固着される外枠カバー１３と、洗浄槽２を外枠１２に移動自在に支持するレール１４を備え、洗浄槽２を前方に引き出した時に外枠カバー１３で押圧される弾性ストッパー１５、１６を、カバー１１の後端１１ａ近傍及びそれより前方に設けたもので、洗浄槽２が万一勝手に前方に移動しても、前方の弾性ストッパー１６が外枠カバー１３に当接し、押圧されることにより移動が制限され、万一、弾性ストッパー１６が外枠カバー１３との当接部を乗り越えても、後端１１ａ近傍に設けた弾性ストッパー１５で、洗浄槽２の移動が確実に止まるので、食器類７に衝撃的な力が加わることがない。【選択図】図１
2007014575.tif 000002
【特許請求の範囲】
【請求項１】
食器類を洗浄する洗浄槽と、前記洗浄槽の下方に固着されるカバーと、前記洗浄槽を覆う外枠と、前記外枠の前面に固着される外枠カバーと、前記洗浄槽を前記外枠に移動自在に支持するレールを備え、前記洗浄槽を前方に引き出した時に前記外枠カバーで押圧される弾性ストッパーを、前記カバーの後端近傍及びそれより前方に設けた食器洗い機。
【請求項２】
食器類を洗浄する洗浄槽と、前記洗浄槽の下方に固着されるカバーと、前記洗浄槽を覆う外枠と、前記外枠の前面に固着される外枠カバーと、前記洗浄槽を前記外枠に移動自在に支持するレールを備え、前記洗浄槽を前方に引き出した時に前記外枠カバーで押圧される弾性ストッパーを前記カバーに取り外し可能に設けた食器洗い機。
【請求項３】
弾性ストッパーの取り付け、取り外し作業が、洗浄槽を外枠より前方に引き出して、下方より行えるようにした請求項２に記載の食器洗い機。
【請求項４】
弾性ストッパー又はカバーのいずれか一方に弾性を有する爪部を形成し、他方に前記爪部が係止される孔を形成し、前記爪部を前記孔に挿入して前記弾性ストッパーを前記カバーに固定するようにした請求項２又は３に記載の食器洗い機。
【請求項５】
カバーに、弾性ストッパーの取り付け高さが異なる弾性ストッパー取り付け部を複数形成した請求項２〜４のいずれか１項に記載の食器洗い機。
【発明の詳細な説明】
【技術分野】
【０００１】
本発明は、食器洗い機に関するもので、特に流し台の収納スペースに設置されるビルトイン型の食器洗い機の洗浄槽の保持構造に関するものである。
【背景技術】
【０００２】
流し台内に前面が開口した収納スペースを設け、この収納スペース内に設置されるビルトイン型の食器洗い機がある。このような食器洗い機に食器を収納したり、洗浄の終わった食器を取り出す時、ハンドルを持って前方に洗浄槽を引き出すが、収納槽はレールの可動部で保持されて前方に移動してくる。そして、一定の距離以上は引き出せないように、レールなどにストッパーが設けられている（例えば、特許文献１参照）。
【０００３】
上記特許文献１に開示された食器洗い機について、図１７および図１８を用いて説明する。図１７は、従来の食器洗い機の側面図で、図１８は同食器洗い機の要部拡大図である。
【０００４】
図１７および図１８に示すように、従来の食器洗い機１は、食器類７を収納すると共に前面上部にハンドル８を有する洗浄槽２と、洗浄槽２を前後方向に引き出し、収納するレール３を有し、レール３を構成する可動部３ａの後端３ｂにストッパー３ｃが形成され、洗浄槽２を覆う外枠４の前部４ａには弾性体ストッパー５が取り付けられている。弾性体ストッパー５は、前枠６を外すことにより、前方より取り外せるように構成されている。
【０００５】
上記構成により、洗浄槽２に食器類７を入れるとき、或いは、食器類７の洗浄、乾燥を終え、それらを洗浄槽２から取り出すために、洗浄槽２を一定距離引き出すと、レール３の可動部３ａの後端３ｂに形成されたストッパー３ｃが、外枠４の前部４ａに取り付けられた弾性体ストッパー５に当たり、洗浄槽２がさらに前方に移動するのを制限するようになっている。
【特許文献１】特開２００３−１５９２０５号公報
【発明の開示】
【発明が解決しようとする課題】
【０００６】
しかしながら、上記特許文献１に開示された従来の食器洗い機の構成では、多くの食器類７が洗浄槽２内に収納されている場合、食器類７の重さで洗浄槽２がわずかに前方に傾斜しており、このときうっかりハンドル８から手を離すと、洗浄槽２が次第に加速して前方に移動し、レール３の後端３ｂに設けたストッパー３ｃが弾性体ストッパー５で衝撃的に止められ、それにより洗浄槽２内の食器類７にも衝撃的な力が加わり、場合によっては、ガラスコップなどの食器類７が割れるなどの課題を有していた。
【０００７】
また、食器洗い機１は、集合住宅などには流し台９に一律に設置されることから、家族が少なくて洗浄する食器類が少ない場合にも、洗浄槽２をいっぱい引き出して保持しなければならなかったり、洗浄槽２を引き出しきらず途中で止めて必要な食器類７を収納したり取り出している時に、洗浄槽２の傾斜などにより洗浄槽２が自然に移動すると、持っている食器類７を一旦置き、再び洗浄槽２をハンドル８を持って適正な位置に移動させなければならず非常に使用勝手が悪いといった課題を有していた。
【０００８】
本発明は、前記従来の課題を解決するもので、洗浄槽に食器類がいっぱい収納されていても、洗浄槽が移動して衝撃的な力が食器類や食器洗い機に加わることを防止し、又、洗浄槽を適正な位置に保持できて使い易く、しかも容易に性能を確保することができる食器洗い機を提供することを目的とする。
【課題を解決するための手段】
【０００９】
前記従来の課題を解決するために、本発明の食器洗い機は、食器類を洗浄する洗浄槽と、前記洗浄槽の下方に固着されるカバーと、前記洗浄槽を覆う外枠と、前記外枠の前面に固着される外枠カバーと、前記洗浄槽を前記外枠に移動自在に支持するレールを備え、前記洗浄槽を前方に引き出した時に前記外枠カバーで押圧される弾性ストッパーを、前記カバーの後端近傍及びそれより前方に設けたもので、食器類がいっぱい洗浄槽内に入れられ洗浄槽が前方に傾いた状態で、洗浄槽を引き出す際に万一手を離しても、洗浄槽の前方への自動的な移動は、カバーの後端より前方に設けられた弾性ストッパーが外枠カバーに当接し、押圧されるとそこで抵抗が加わり、それ以上の洗浄槽の前方への移動が制限され、万一惰性で、カバーの後端より前方に設けられた弾性ストッパーが外枠カバーとの当接部を乗り越えても、既に洗浄槽の前方への移動の勢いが低下しているので、カバーの後端近傍に設けた弾性ストッパーで、洗浄槽の移動が弾性的に確実に止まるので、従来みられたような洗浄槽が一気に前方に飛び出し衝撃的に洗浄槽が止められ、洗浄槽や食器類に衝撃的な力が加わるといったことを確実に防止することができる。
【００１０】
また、後端より前方にも弾性ストッパーが設けられているので、洗浄する食器類が少なかったり、洗浄、乾燥を終えた食器類の一部だけを取り出したい時、洗浄槽を後端近傍の弾性ストッパー位置までいっぱい引き出す必要はなく、後端より前方に設けられた弾性ストッパー位置まで洗浄槽を引き出しても、後端より前方に設けられた弾性ストッパーで洗浄槽の自然移動が制限されるので、洗浄槽内に食器類を効率的に収納したり、洗浄槽より取り出したりすることができる。
【００１１】
また、本発明の食器洗い機は、食器類を洗浄する洗浄槽と、前記洗浄槽の下方に固着されるカバーと、前記洗浄槽を覆う外枠と、前記外枠の前面に固着される外枠カバーと、前記洗浄槽を前記外枠に移動自在に支持するレールを備え、前記洗浄槽を前方に引き出した時に前記外枠カバーで押圧される弾性ストッパーを前記カバーに取り外し可能に設けたもので、洗浄槽の引き出し動作により、弾性ストッパーの外枠カバーとの当接部が次第に磨耗し、外枠カバーからの押圧が小さくなり洗浄槽を十分に保持できなくなった時に、磨耗した弾性ストッパーを容易に取り外し、新規の弾性ストッパーを取り付けられるので、初期の保持力を容易に確保することができ、従来みられたような洗浄槽や食器類に衝撃的な力が加わるといったことを低減することができる。また、外枠カバーからの押圧が異なる何種類かの弾性ストッパーを揃えておけば、食器洗い機の大きさが異なり、カバーの大きさや高さが異なっても、弾性ストッパーを選択してカバーに容易に取り付けることができるので、弾性ストッパーの共用化や標準化が容易となり、部品管理面でも有利な食器洗い機となる。
【発明の効果】
【００１２】
本発明の食器洗い機は、食器類がいっぱい洗浄槽内に入れられ、洗浄槽が前方に傾いた状態で洗浄槽を引き出す手を離しても、洗浄槽が一気に前方に飛び出し衝撃的に洗浄槽が止められ、洗浄槽や食器類に衝撃的な力が加わるといったことを確実に防止することができる。
【００１３】
また、洗浄する食器類が少なかったり、洗浄、乾燥を終えた食器類の一部だけを取り出したいような時、洗浄槽を後端いっぱい引き出す必要はなく、途中位置まで洗浄槽を引き出しても、洗浄槽の自然移動を制限することができることから、洗浄槽内に食器類を効率的に収納したり取り出したりすることができる。
【発明を実施するための最良の形態】
【００１４】
第１の発明は、食器類を洗浄する洗浄槽と、前記洗浄槽の下方に固着されるカバーと、前記洗浄槽を覆う外枠と、前記外枠の前面に固着される外枠カバーと、前記洗浄槽を前記外枠に移動自在に支持するレールを備え、前記洗浄槽を前方に引き出した時に前記外枠カバーで押圧される弾性ストッパーを、前記カバーの後端近傍及びそれより前方に設けたもので、食器類がいっぱい洗浄槽内に入れられ洗浄槽が前方に傾いた状態で、洗浄槽を引き出す際に万一手を離しても、洗浄槽の前方への自動的な移動は、カバーの後端より前方に設けられた弾性ストッパーが外枠カバーに当接し、押圧されるとそこで抵抗が加わり、それ以上の洗浄槽の前方への移動が制限され、万一惰性で、カバーの後端より前方に設けられた弾性ストッパーが外枠カバーとの当接部を乗り越えても、既に洗浄槽の前方への移動の勢いが低下しているので、カバーの後端近傍に設けた弾性ストッパーで、洗浄槽の移動が弾性的に確実に止まるので、従来みられたような洗浄槽が一気に前方に飛び出し衝撃的に洗浄槽が止められ、洗浄槽や食器類に衝撃的な力が加わるといったことを確実に防止することができる。
【００１５】
また、後端より前方にも弾性ストッパーが設けられているので、洗浄する食器類が少なかったり、洗浄、乾燥を終えた食器類の一部だけを取り出したい時、洗浄槽を後端近傍の弾性ストッパー位置までいっぱい引き出す必要はなく、後端より前方に設けられた弾性ストッパー位置まで洗浄槽を引き出しても、後端より前方に設けられた弾性ストッパーで洗浄槽の自然移動が制限されるので、洗浄槽内に食器類を効率的に収納したり、洗浄槽より取り出したりすることができる。
【００１６】
第２の発明は、食器類を洗浄する洗浄槽と、前記洗浄槽の下方に固着されるカバーと、前記洗浄槽を覆う外枠と、前記外枠の前面に固着される外枠カバーと、前記洗浄槽を前記外枠に移動自在に支持するレールを備え、前記洗浄槽を前方に引き出した時に前記外枠カバーで押圧される弾性ストッパーを前記カバーに取り外し可能に設けたもので、洗浄槽の引き出し動作により、弾性ストッパーの外枠カバーとの当接部が次第に磨耗し、外枠カバーからの押圧が小さくなり洗浄槽を十分に保持できなくなった時に、磨耗した弾性ストッパーを容易に取り外し、新規の弾性ストッパーを取り付けられるので、初期の保持力を容易に確保することができ、従来みられたような洗浄槽や食器類に衝撃的な力が加わるといったことを低減することができる。また、外枠カバーからの押圧が異なる何種類かの弾性ストッパーを揃えておけば、食器洗い機の大きさが異なり、カバーの大きさや高さが異なっても、弾性ストッパーを選択してカバーに容易に取り付けることができるので、弾性ストッパーの共用化や標準化が容易となり、部品管理面でも有利な食器洗い機となる。
【００１７】
第３の発明は、特に、第２の発明の弾性ストッパーの取り付け、取り外し作業が、洗浄槽を外枠より前方に引き出して、下方より行えるようにしたもので、食器洗い機を長期間使用して弾性ストッパーが次第に磨耗し、外枠カバーからの押圧が小さくなり洗浄槽を十分に保持できなくなった場合に、洗浄槽を外枠から引き出し、下方から弾性ストッパーをカバーに固着しているネジ等を取り外せば、容易に磨耗した弾性ストッパーを取り外し、新規の弾性ストッパーと交換でき、弾性ストッパーが再び外枠カバーから初期の押圧を受けて洗浄槽を保持することができるようになり、従来みられたような洗浄槽や食器類に衝撃的な力が加えられるといったことを防止することができる。また、使用者も容易に弾性ストッパーを交換することができることから、不要時には取り外したりあるいは新規のものと容易に交換できることから使い勝手のよい食器洗い機となる。
【００１８】
第４の発明は、特に、第２又は第３の発明の弾性ストッパー又はカバーのいずれか一方に弾性を有する爪部を形成し、他方に前記爪部が係止される孔を形成し、前記爪部を前記孔に挿入して前記弾性ストッパーを前記カバーに固定するようにしたもので、弾性ストッパーを、ネジなどの別部品を使用することなくカバーに容易に固着することができるようになり、資源的に有利なだけでなく、生産性や部品管理面でも有利な食器洗い機となる。
【００１９】
第５の発明は、特に、第２〜４のいずれか一つの発明のカバーに、弾性ストッパーの取り付け高さが異なる弾性ストッパー取り付け部を複数形成したもので、使用者によっては洗浄する食器類が少なかったり、あるいは大家族で洗浄する食器類が多かったりと異なる状態で使用されるが、使用者が洗浄槽により大きな保持力を必要とする場合は、弾性ストッパーを、押圧を大きくする別の弾性ストッパー取り付け部に移動させることにより、弾性ストッパーはより強く外枠カバーから押圧されることになり、洗浄槽の保持力を容易に増加させることができる。また、食器洗い機を長時間使用して弾性ストッパーが磨耗し、外枠カバーからの押圧が減少して洗浄槽を十分に保持できない時には、磨耗した弾性ストッパーをより押圧の強くなる弾性ストッパー取り付け部に移動させればより確実に洗浄槽を保持することができ、使用者には使い勝手のよい食器洗い機となる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における食器洗い機の側断面図、図２は、同食器洗い機の正面図、図３は、同食器洗い機の作用を示す側断面図、図４は、同食器洗い機の同弾性ストッパーと外枠カバーの関係を示す側断面図、同５は同食器洗い機を示す斜視図である。なお図２では操作部の図示を省略すると共に、上記従来例と同一部分については同一符号を付けてその説明を省略する。
【００２２】
図１〜図５において、流し台１７内の収納スペースに設置された本実施の形態における食器洗い機１０の洗浄槽２の下方には、ホース（図示せず）などの部品を覆うカバー１１が固着され、外枠１２の前面１２ａには外枠カバー１３が固着されている。レール１４の固定側１４ａは、外枠１２に固着され、可動側１４ｂで洗浄槽２を保持して、洗浄槽２を外枠１２内に収納したり引き出したりすることができるように移動自在となっている。
【００２３】
７は、洗浄槽２内に収納される食器類で、１８は、洗浄コースや時間を設定する操作部で、１９は、洗浄槽２を引き出す際に手をかけるハンドルである。
【００２４】
カバー１１には、それぞれ下方に突出する谷部１５ａ、１６ａを有する弾性ストッパー１５、１６が形成されている。弾性ストッパー１５は、カバー１１の後端１１ａの近傍に設けられ、弾性ストッパー１６は、後端１１ａより前方に設けられており、洗浄槽２を引き出してくると弾性ストッパー１５および１６の谷部１５ａ、１６ａが外枠カバー１３により押圧されるように構成されている。図４（Ａ）は、弾性ストッパー１５が外枠カバー１３に当接し、図４（Ｂ）は、弾性ストッパー１５の谷部１５ａが外枠カバー１３に押圧されてたわみ、図４（Ｃ）は、弾性ストッパー１５の谷部１５ａが外枠カバー１３を乗り越え、押圧から解放された状態を示している。図４では、弾性ストッパー１５のみの動作を示したが、弾性ストッパー１６も同様の動作を行うようになっている。
【００２５】
以上のように構成された食器洗い機１０について、以下その動作、作用について説明する。
【００２６】
食器洗い機１０の操作部１８の上方に設けられたハンドル１９を持って洗浄槽２を引き出すと、洗浄槽２は、レール１４に保持されながら前方に移動してくる。そして、弾性ストッパー１６が外枠カバー１３に押圧される位置では移動に抵抗が加えられるが、引き続き引き出していくと、弾性ストッパー１６の谷部１６ａが外枠カバー１３を乗り越え、その後は抵抗なく弾性ストッパー１５の谷部１５ａが外枠カバー１３に当接するまで洗浄槽２を引き出すことができ、弾性ストッパー１５で再び洗浄槽２の動きに抵抗が加えられることになる。外枠１２より引き出した洗浄槽２内に、食器類７を収納し、洗浄槽２を外枠１２内に押し込んで操作部１８で洗浄コースや時間を設定すれば食器類７の洗浄を行うことができる。
【００２７】
以上のように本実施の形態によれば、弾性ストッパー１５、１６をカバー１１の後端１１ａ近傍と後端１１ａより前方に設けたことにより、食器類７がいっぱい洗浄槽２内に入れられたり設置面２０が傾いて、洗浄槽２が前方に傾いた状態で、万一ハンドル１９から手を離しても、洗浄槽２の自動的な移動は、カバー１１の後端１１ａより前方に設けられた弾性ストッパー１６までか、弾性ストッパー１６と後端１１ａ近傍に設けられた弾性ストッパー１５間だけの移動に制限されるので、洗浄槽２が自重で一気に前方に移動し、洗浄槽２或いはカバー１１の後端が外枠カバー１３に設けたストッパー（図示せず）に衝撃的に当たって、洗浄槽２や食器類７に大きな衝撃力が加わるといったことを確実に防止することができる。
【００２８】
また、後端１１ａより前方にも弾性ストッパー１６を設けていることから、洗浄する食器類７が少なかったり、洗浄、乾燥を終えた食器類７の一部だけを取り出したい時洗浄槽２をカバー１１の後端の弾性ストッパー１５位置までいっぱい引き出す必要はなく後端１１ａより前方に設けられた弾性ストッパー１６を通過するまで洗浄槽２を引き出しても、後端１１ａより前方に設けられた弾性ストッパー１６で洗浄槽２の自然移動を制限することができるので、洗浄槽２内に食器類７を効率的に収納したり、洗浄槽２より取り出したりすることができ、使いやすい食器洗い機１０を提供することができる。
【００２９】
（実施の形態２）
図６は、本発明の第２の実施の形態における食器洗い機の弾性ストッパーの取り付け部の断面図、図７は、同弾性ストッパーの取り付け状態を示すカバーの平面図、図８は、同食器洗い機の側断面図である。なお、上記従来例あるいは上記第１の実施の形態と同一部分については同一符号を付けてその説明を省略する。
【００３０】
本実施の形態は、図６〜８に示すように、食器洗い機２１の洗浄槽２の下方にホースなどを覆うカバー２２を固着し、そのカバー２２の後端２２ａ近傍および後端２２ａより前方に弾性ストッパー２３、２４を下方よりネジ２５などで固着し、ネジ２５などを取り外すことにより弾性ストッパー２３、２４を容易に取り外すことができる構成としたものである。
【００３１】
以上のように構成された食器洗い機２１について、その動作、作用を説明する。
【００３２】
洗浄槽２を外枠１２から引き出してくると、まずカバー２２にネジ２５などで固着された弾性ストッパー２４の谷部２４ａが外枠カバー１３に押圧されて洗浄槽２の移動に抵抗を加えるが、さらに洗浄槽２を引き出すと、弾性ストッパー２４の谷部２４ａが外枠カバー１３を乗り越えて洗浄槽２は前方に移動し、ついにはカバー２２の後端近傍の弾性ストッパー２３が外枠カバー１３により押圧されて洗浄槽２の移動に抵抗を加え、洗浄槽２のハンドル１９から手を離しても洗浄槽２が勝手に前に飛び出ることがない。
【００３３】
ところで、長期間食器洗い機２１を使用していると弾性ストッパー２３、２４の夫々の谷部２３ａ、２４ａが磨耗して外枠カバー１３からの押圧が小さくなり、洗浄槽２を十分に保持できなくなってくるが、本実施の形態によれば、洗浄槽２を前方に引き出し、弾性ストッパー２３、２４をカバー２２に、下方よりネジ２５等で取り付けられるようになっているので、磨耗した弾性ストッパー２３、２４を取り外し、新規の弾性ストッパー２３、２４を取り付ければ、初期の保持力を容易に維持させることができ、それにより、洗浄槽２の引き出し時に、従来例にみられたような洗浄槽２や食器類７に衝撃的な力が加えられるといったことを防止することができる。
【００３４】
なお、図９（Ａ）、（Ｂ）、（Ｃ）に示すように、ｈ１、ｈ２、ｈ３のように谷部２３ａ（又は２４ａ）の高さを変えた弾性ストッパー２３（又は２４）を揃えておけば、食器洗い機２１の大きさが異なったり、カバー２２の大きさや高さが異なっても、高さが異なる何種類かの弾性ストッパー２３（又は２４）から選択してカバー２２に取り付けることが可能で、弾性ストッパー２３、２４の共用化や標準化が容易となり部品管理面でも有利な食器洗い機２１を提供することが出来る。
【００３５】
（実施の形態３）
図１０は、本発明の第３の実施の形態における食器洗い機の側断面図である。なお、上記従来例あるいは上記実施の形態と同一部分については同一符号を付けてその説明を省略する。
【００３６】
本実施の形態は、図１０に示すように、食器洗い機２６の洗浄槽２を外枠１２から引き出した時、カバー２２に固着された弾性ストッパー２３、２４が、流し台３０の前面３０ａより前方に位置するように配置し、弾性ストッパー２３、２４の取り付けや取り外し作業をカバー２２の下方から容易に行えるようにしたものである。
【００３７】
上記構成により、食器洗い機２６を長時間使用して弾性ストッパー２３、２４が磨耗したような時、使用者でも、洗浄槽２を外枠１２から引き出して磨耗した弾性ストッパー２３、２４を下方から取り外し、新しいものと容易に交換して、洗浄槽２の保持力を容易に回復させることが可能となり、使い勝手のよい食器洗い機２６を提供することができる。
【００３８】
（実施の形態４）
図１１は、本発明の第４の実施の形態における食器洗い機の弾性ストッパーの取り付け部の側断面図、図１２は、同弾性ストッパーの取り外し方法を示す部分断面図、図１３は同食器洗い機の側断面図である。なお、上記従来例あるいは上記実施の形態と同一部分については同一符号を付けてその説明を省略する。
【００３９】
本実施の形態は、図１１〜図１３に示すように、弾性ストッパー３１、３２の両端に弾性を有する係止部として爪部３１ａ、３２ａを形成し、カバー３３に、爪部３１ａ、３２ａに係止される被係止部として孔３３ａ、３３ｂをそれぞれ形成し、爪部３１ａを孔３３ａに、爪部３２ａを孔３３ｂにそれぞれ押し入れて、弾性ストッパー３１、３２をカバー３３に固着するようにしたものである。
【００４０】
なお、本実施の形態では、弾性ストッパー３１、３２に爪３１ａ、３２ａを設け、カバー３３に孔３３ａ、３３ｂを設けたが、弾性ストッパー３１、３２に孔を設け、カバー３３側に爪を設けても動作、作用は同じである。
【００４１】
以上のように構成された食器洗い機３４について、その動作、作用を説明する。
【００４２】
弾性ストッパー３１、３２をそれぞれカバー３３に取り付ける時、爪部３１ａ、３２ａが倒れながらカバー３３に設けられた孔３３ａ、３３ｂに入っていき、弾性ストッパー３１、３２がカバー３３に密着した状態になると、爪部３１ａ、３２ａの倒れがなくなり、弾性ストッパー３１、３２をカバー３３に固着することができる。
【００４３】
また、弾性ストッパー３１、３２をカバー３３から取り外す時には、図１２内で２点鎖線で示されるドライバー３５などで爪部３１ａ、３２ａを倒して、爪部３１ａ、３２ａを孔３３ａ、３３ｂから抜き出すと、弾性ストッパー３１、３２をカバー３３から容易に取り外すことができる。
【００４４】
以上のように本実施の形態によれば、ネジなどの別部品を使用することなく、弾性ストッパー３１、３２の取り付け、取り外しが容易にできることから、資源的に有利なだけでなく、部品管理面でも有利な食器洗い機３４となる。
【００４５】
（実施の形態５）
図１４は、本発明の第５の実施の形態における食器洗い機のカバーと弾性ストッパーを示す平面図、図１５は、同カバーと弾性ストッパーの取り付け状態を示す断面図（図１４のＡ−Ａ断面図）、図１６は、同食器洗い機の正面図である。なお、図１６では操作部を外して示している。また、上記従来例あるいは上記実施の形態と同一部分については同一符号を付けてその説明を省略する。
【００４６】
本実施の形態は、図１４〜図１６に示すように、洗浄槽２の下方に設けられホースなどの部品を覆うカバー３６に、高さの異なる弾性ストッパー取り付け部３６ａ、３６ｂを設け、例えば工場からの出荷時には、弾性ストッパー３７、３８の外枠カバー１３からの押圧がより小さい弾性ストッパー取り付け部３６ａに弾性ストッパー３７、３８を固着するようにしたものである。図中弾性ストッパー３７、３８の外枠カバー１３からの押圧が大きくなる方の弾性ストッパーを２点鎖線で示している。
【００４７】
以上のように構成された食器洗い機３９について、その動作、作用を説明する。
【００４８】
使用者によっては洗浄する食器類７が少なかったり、あるいは大家族で洗浄する食器類７が多かったりと異なる状態で使用されるが、使用者が、洗浄槽２により大きな保持力を持たせたいときは、弾性ストッパー３７、３８を、取り付け高さが大きな別の弾性ストッパー取り付け部３６ｂに移動させることにより、弾性ストッパー３７、３８はより強く外枠カバー１３から押圧されることになり、洗浄槽２の保持力を容易に増加させることができる。
【００４９】
また、食器洗い機３９を長時間使用して弾性ストッパー３７、３８が磨耗し、外枠カバー１３からの押圧が減少して洗浄槽２を十分に保持できない時には、磨耗した弾性ストッパー３７、３８をより押圧の強くなる弾性ストッパー取り付け部３６ｂに移動させれば、より確実に洗浄槽２を保持することができることから、使い勝手のよい食器洗い機３９を提供することができる。
【産業上の利用可能性】
【００５０】
以上のように、本発明に係る食器洗い機は、食器類がいっぱい収納された洗浄槽が自重で前方に移動しても、衝撃的な力が食器類や食器洗い機に加わることがなく、又、洗浄槽を適正な位置に容易に保持できて使い易いもので、食器洗い機に限らず、比較的重いものを収納すると共に本体から出し入れ自在の容器を備えた各種機器、装置にも広く適用できるものである。
【図面の簡単な説明】
【００５１】
【図１】本発明の第１の実施の形態における食器洗い機の側断面図
【図２】同食器洗い機の正面図
【図３】同食器洗い機の作用を示す側断面図
【図４】（Ａ）〜（Ｃ）同食器洗い機の弾性ストッパーと外枠カバーの関係を示す側断面図
【図５】同食器洗い機を示す斜視図
【図６】本発明の第２の実施の形態における食器洗い機の弾性ストッパーの取り付け部の断面図
【図７】同弾性ストッパーのカバーへの取り付け状態を示す平面図
【図８】同食器洗い機を示す側断面図
【図９】（Ａ）〜（Ｃ）高さの異なる弾性ストッパーの側面図
【図１０】本発明の第３の実施の形態における食器洗い機の側断面図
【図１１】本発明の第４の実施の形態における食器洗い機の弾性ストッパー取り付け部の側断面図
【図１２】同弾性ストッパーの取り外し方法を示した側断面図
【図１３】同食器洗い機の側断面図
【図１４】本発明の第５の実施の形態における食器洗い機のカバーと弾性ストッパーを示す平面図
【図１５】図１４のＡ−Ａ断面図（同カバーと弾性ストッパーの取り付け状態を示す）
【図１６】同食器洗い機の正面図
【図１７】従来の食器洗い機の側面図
【図１８】同食器洗い機の要部拡大図
【符号の説明】
【００５２】
２      洗浄槽
１０、２１、２６、３４、３９  食器洗い機
１１、２２、３３、３６  カバー
１１ａ、２２ａ  後端
１２    外枠
１２ａ、３０ａ  前面
１３    外枠カバー
１４    レール
１５、１６、２３、２４、３１、３２、３７、３８  弾性ストッパー
１５ａ、１６ａ、２３ａ、２４ａ  谷部
２５    ネジ
３１ａ、３２ａ  爪部
３３ａ、３３ｂ  孔
３６ａ、３６ｂ  弾性ストッパー取り付け部
【図１】
2007014575.tif 000003
【図２】
2007014575.tif 000004
【図３】
2007014575.tif 000005
【図４】
2007014575.tif 000006
【図５】
2007014575.tif 000007
【図６】
2007014575.tif 000008
【図７】
2007014575.tif 000009
【図８】
2007014575.tif 000010
【図９】
2007014575.tif 000011
【図１０】
2007014575.tif 000012
【図１１】
2007014575.tif 000013
【図１２】
2007014575.tif 000014
【図１３】
2007014575.tif 000015
【図１４】
2007014575.tif 000016
【図１５】
2007014575.tif 000017
【図１６】
2007014575.tif 000018
【図１７】
2007014575.tif 000019
【図１８】
2007014575.tif 000020